(57)【要約】【課題】前方向音響信号と後方向音響信号をバランスよく収音可能な収音装置を提案する。【解決手段】前方向音響信号と後方向音響信号のそれぞれの出力の最大値を検出する最大値検出部と、前方向音響信号を制御する前方向音響信号レベル制御部と、後方向音響信号を制御する後方向音響信号レベル制御部とを備える。そして、最大値検出部の出力の最大値に基づき、前方向音響信号レベル制御部と後方向音響信号レベル制御部を制御するように構成された収音装置。【選択図】図２
2008153788.tif 000002
【特許請求の範囲】
【請求項１】
前方向音響信号を生成する前方向音響信号出力部と、
後方向音響信号を生成する後方向音響信号出力部と、
音響信号レベル調整部と、を備え、
前記音響信号レベル調整部は、前記前方向音響信号出力部と前記後方向音響信号出力部のそれぞれの出力の最大値を検出する最大値検出部を備えるレベル制御管理部と、
前記前方向音響信号を制御する前方向音響信号レベル制御部と、
前記後方向音響信号を制御する後方向音響信号レベル制御部と、を備え、
前記レベル制御管理部は、前記最大値検出部の出力の最大値に基づき前記前方向音響信号レベル制御部と前記後方向音響信号レベル制御部を制御する、ことを特徴とする収音装置。
【請求項２】
前記最大値検出部は、前記前方向音響信号出力部の出力の最大値を検出する前方向最大値検出部と、前記後方向音響信号出力部の出力の最大値を検出する後方向最大値検出部と、を備え、
前記レベル制御管理部は、前記前方向最大値検出部の出力に基づき前記前方向音響信号レベル制御部を制御し、前記後方向最大値検出部の出力に基づき前記後方向音響信号レベル制御部を制御する、ことを特徴とする請求項１に記載の収音装置。
【請求項３】
前記最大値検出部は、前記前方向音響信号出力部の出力の最大値を検出する前方向最大値検出部と、前記後方向音響信号出力部の出力の最大値を検出する後方向最大値検出部と、を備え、
前記レベル制御管理部は、前記前方向最大値検出部と前記後方向最大値検出部の出力の最大値により前記前方向音響信号レベル制御部および前記後方向音響信号レベル制御部を制御する、ことを特徴とする請求項１に記載の収音装置。
【請求項４】
前記最大値検出部は、前記前方向音響信号出力部の出力の最大値を検出する前方向最大値検出部と、前記後方向音響信号出力部の出力の最大値を検出する後方向最大値検出部と、を備え、
前記レベル制御管理部は、前記後方向最大値検出部の出力の前記最大値を減衰させる後方向最大値減衰部を、さらに備え、
前記レベル制御管理部は、前記前方向最大値検出部の出力と前記後方向最大値減衰部の出力の最大値に基づき前記前方向音響信号レベル制御部を制御する、ことを特徴とする請求項１に記載の収音装置。
【請求項５】
前方向音響信号を生成する前方向音響信号出力部と、
後方向音響信号を生成する後方向音響信号出力部と、
前記前方向音響信号の出力の最大値を検出する前方向最大値検出部と、
前記後方向音響信号の出力の最大値を検出する後方向最大値検出部と、
前記前方向音響信号を制御する前方向音響信号レベル制御部と、
前記後方向音響信号を制御する後方向音響信号レベル制御部と、
前記前方向最大値検出部の出力の最大値と前記後方向最大値検出部の出力の最大値に基づき前記前方向音響信号レベル制御部を制御し、前記前方向最大値検出部の出力の最大値と前記後方向最大値検出部の出力の最大値に基づき後方向音響信号レベル制御部を制御するレベル制御管理部と、を備える、ことを特徴とする収音装置。
【請求項６】
前記レベル制御管理部の動作を変更しうる操作部を更に備え、
前記操作部は、前記レベル制御管理部が、前記前方向最大値検出部の出力の最大値に基づき前記前方向音響信号レベル制御部を制御するか、あるいは前記前方向最大値検出部の出力の最大値及び前記後方向最大値検出部の出力の最大値を減衰させた減衰された最大値とに基づき前記前方向音響信号レベル制御部を制御するかを選択するように構成される、ことを特徴とする請求項５に記載の収音装置。
【請求項７】
前方向音響信号を生成する前方向音響信号出力部と、
後方向音響信号を生成する後方向音響信号出力部と、
前記前方向音響信号の最大値を検出する前方向最大値検出部と、
前記後方向音響信号の最大値を検出する後方向最大値検出部と、
前記後方向最大値検出部の出力の最大値を減衰させる最大値減衰部と、
前記前方向音響信号を制御する前方向音響信号レベル制御部と、
前記後方向音響信号を制御する後方向音響信号レベル制御部と、
前記前方向最大値検出部からの出力の最大値に基づき、あるいは前記後方向最大値検出部と前記最大値減衰部の出力の最大値とに基づき前記前方向音響信号レベル制御部を制御し、前記前方向最大値検出部からの出力の最大値と前記後方向最大値検出部からの出力の最大値に基づき前記後方向音響信号レベル制御部を制御するレベル制御管理部と、を備える、ことを特徴とする収音装置。
【請求項８】
前記レベル制御管理部の制御を変更する操作部をさらに備え、
前記操作部により、前記最大値減衰部の減衰量を制御する、ことを特徴とする請求項７に記載の収音装置。
【請求項９】
前記操作部からの選択情報により、前記レベル制御管理部が、前記前方向最大値検出部の出力の最大値だけで前記前方向音響信号レベル制御部を制御するか、あるいは前記前方向最大値検出部の出力の最大値と前記後方向最大値検出部からの出力の最大値及び前記最大値減衰部の出力の最大値とに基づき前記前方向音響信号レベル制御部を制御するかを決定する、ことを特徴とする請求項８に記載の収音装置。
【請求項１０】
前方向音響信号を生成する前方向音響信号出力工程と、
後方向音響信号を生成する後方向音響信号出力工程と、
音響信号レベル調整工程と、を備え、
前記音響信号レベル調整工程は、
前記前方向音響信号出力工程と前記後方向音響信号出力工程のそれぞれの出力の最大値を検出する最大値検出工程と、
前記前方向音響信号を制御する前方向音響信号レベル制御工程と、
前記後方向音響信号を制御する後方向音響信号レベル制御工程と、を備え、
前記音響信号レベル調整工程は、前記最大値検出工程の出力の最大値に基づき前記前方向音響信号レベル制御工程と前記後方向音響信号レベル制御工程を制御する、ことを特徴とする収音装置の制御方法。
【請求項１１】
前方向音響信号を生成する前方向音響信号出力工程と、
後方向音響信号を生成する後方向音響信号出力工程と、
前記前方向音響信号の最大値を検出する前方向最大値検出工程と、
前記後方向音響信号の最大値を検出する後方向最大値検出工程と、
前記前方向音響信号を制御する前方向音響信号レベル制御工程と、
前記後方向音響信号を制御する後方向音響信号レベル制御工程と、
前記前方向最大値検出工程の出力の最大値と後方向最大値検出工程の出力の最大値に基づき前記前方向音響信号レベル制御工程を制御し、前記前方向最大値検出工程の出力の最大値と前記後方向最大値検出工程の出力の最大値に基づき前記後方向音響信号レベル制御工程を制御するレベル制御管理工程と、を備える、ことを特徴とする収音装置の制御方法。
【請求項１２】
前方向音響信号を生成する前方向音響信号出力工程と、
後方向音響信号を生成する後方向音響信号出力工程と、
前記前方向音響信号の最大値を検出する前方向最大値検出工程と、
前記後方向音響信号の最大値を検出する後方向最大値検出工程と、
前記後方向最大値検出工程の出力の最大値を減衰させる最大値減衰工程と、
前記前方向音響信号を制御する前方向音響信号レベル制御工程と、
前記後方向音響信号を制御する後方向音響信号レベル制御工程と、
前記前方向最大値検出工程からの出力の最大値に基づき、あるいは前記後方向最大値検出工程と前記最大値減衰工程の出力の最大値とに基づき前記前方向音響信号レベル制御工程を制御し、前記前方向最大値検出工程からの出力の最大値と前記後方向最大値検出工程からの出力の最大値に基づき前記後方向音響信号レベル制御工程を制御するレベル制御管理工程と、を備える、ことを特徴とする収音装置の制御方法。
【発明の詳細な説明】
【技術分野】
【０００１】
本発明は収音装置において、背面からの音響の収音を正面からの音響の収音に邪魔にならない程度で収音し、臨場感を与えるための手法を提供するものである。
【背景技術】
【０００２】
従来の収音装置は、出力レベルがある電圧以上にならないようにレベルコントロール機能を備えている。
【特許文献１】特開平１０−１１８９５号公報
【発明の開示】
【発明が解決しようとする課題】
【０００３】
正面からと背面からの音響を同時に収音する収音装置において、正面及び背面から得られた正面音響信号及び背面音響信号のレベルコントロールを２つ同様に行ってしまうと、正しくレベル制御が出来ない。たとえば、背面音響信号のレベルが大きい場合、収音している正面からの正面音響信号のレベルが大きく減衰してしまい、本来収録したい正面音響信号が収音できない事態に陥る可能性がある。
【０００４】
したがって、本発明の目的は、前方向音響信号と後方向音響信号をバランスよく収音可能な収音装置を提案することである。
【課題を解決するための手段】
【０００５】
上記の目的を達成するため、本発明の実施形態に係る収音装置は、
前方向音響信号を生成する前方向音響信号出力部と、
後方向音響信号を生成する後方向音響信号出力部と、
音響信号レベル調整部と、を備え、
前記音響信号レベル調整部は、
前記前方向音響信号出力部と前記後方向音響信号出力部のそれぞれの出力の最大値を検出する最大値検出部と、
前記前方向音響信号を制御する前方向音響信号レベル制御部と、
前記後方向音響信号を制御する後方向音響信号レベル制御部と、を備え、
前記音響信号レベル調整部は、前記最大値検出部の出力の最大値に基づき前記前方向音響信号レベル制御部と前記後方向音響信号レベル制御部を制御する、ことを特徴とする。
【０００６】
上記の目的を達成するため、本発明の他の実施形態に係る収音装置は、
前方向音響信号を生成する前方向音響信号出力部と、
後方向音響信号を生成する後方向音響信号出力部と、
前記前方向音響信号の出力の最大値を検出する前方向最大値検出部と、
前記後方向音響信号の出力の最大値を検出する後方向最大値検出部と、
前記前方向音響信号を制御する前方向音響信号レベル制御部と、
前記後方向音響信号を制御する後方向音響信号レベル制御部と、
前記前方向最大値検出部の出力の最大値と前記後方向最大値検出部の出力の最大値に基づき前記前方向音響信号レベル制御部を制御する前方向レベル制御管理部と、
前記前方向最大値検出部の出力の最大値と前記後方向最大値検出部の出力の最大値に基づき後方向音響信号レベル制御部を制御する後方向レベル制御管理部と、を備える、ことを特徴とする。
【０００７】
上記の目的を達成するため、本発明の、更に他の実施形態に係る収音装置は、
前方向音響信号を生成する前方向音響信号出力部と、
後方向音響信号を生成する後方向音響信号出力部と、
前記前方向音響信号の最大値を検出する前方向最大値検出部と、
前記後方向音響信号の最大値を検出する後方向最大値検出部と、
前記後方向最大値検出部の出力の最大値を減衰させる最大値減衰部と、
前記前方向音響信号を制御する前方向音響信号レベル制御部と、
前記後方向音響信号を制御する後方向音響信号レベル制御部と、
前記前方向最大値検出部からの出力の最大値に基づき、あるいは前記後方向最大値検出部と前記最大値減衰部の出力の最大値とに基づき前記前方向音響信号レベル制御部を制御する前方向レベル制御管理部と、
前記前方向最大値検出部からの出力の最大値と前記後方向最大値検出部からの出力の最大値に基づき前記後方向音響信号レベル制御部を制御する前方向レベル制御管理部と、を備える、ことを特徴とする。
【０００８】
上記の目的を達成するため、本発明の、更に他の実施形態に係る収音装置の制御方法は、
前方向音響信号を生成する前方向音響信号出力工程と、
後方向音響信号を生成する後方向音響信号出力工程と、
音響信号レベル調整工程と、を備え、
前記音響信号レベル調整工程は、
前記前方向音響信号出力工程と前記後方向音響信号出力工程のそれぞれの出力の最大値を検出する最大値検出工程と、
前記前方向音響信号を制御する前方向音響信号レベル制御工程と、
前記後方向音響信号を制御する後方向音響信号レベル制御工程と、を備え、
前記音響信号レベル調整工程は、前記最大値検出工程の出力の最大値に基づき前記前方向音響信号レベル制御工程と前記後方向音響信号レベル制御工程を制御する、ことを特徴とする。
【０００９】
上記の目的を達成するため、本発明の、更に他の実施形態に係る収音装置の制御方法は、
前方向音響信号を生成する前方向音響信号出力工程と、
後方向音響信号を生成する後方向音響信号出力工程と、
前記前方向音響信号の最大値を検出する前方向最大値検出工程と、
前記後方向音響信号の最大値を検出する後方向最大値検出工程と、
前記前方向音響信号を制御する前方向音響信号レベル制御工程と、
前記後方向音響信号を制御する後方向音響信号レベル制御工程と、
前記前方向最大値検出工程の出力の最大値と後方向最大値検出工程の出力の最大値に基づき前記前方向音響信号レベル制御工程を制御する前方向レベル制御管理工程と、
前記前方向最大値検出工程の出力の最大値と前記後方向最大値検出工程の出力の最大値に基づき前記後方向音響信号レベル制御工程を制御する後方向レベル制御管理工程と、を備える、ことを特徴とする。
【００１０】
上記の目的を達成するため、本発明の、更に他の実施形態に係る収音装置の制御方法は、
前方向音響信号を生成する前方向音響信号出力工程と、
後方向音響信号を生成する後方向音響信号出力工程と、
前記前方向音響信号の最大値を検出する前方向最大値検出工程と、
前記後方向音響信号の最大値を検出する後方向最大値検出工程と、
前記後方向最大値検出工程の出力の最大値を減衰させる最大値減衰工程と、
前記前方向音響信号を制御する前方向音響信号レベル制御工程と、
前記後方向音響信号を制御する後方向音響信号レベル制御工程と、
前記前方向最大値検出工程からの出力の最大値に基づき、あるいは前記後方向最大値検出工程と前記最大値減衰工程の出力の最大値とに基づき前記前方向音響信号レベル制御工程を制御する前方向レベル制御管理工程と、
前記前方向最大値検出工程からの出力の最大値と前記後方向最大値検出工程からの出力の最大値に基づき前記後方向音響信号レベル制御工程を制御する前方向レベル制御管理工程と、を備える、ことを特徴とする。
【発明の効果】
【００１１】
本発明によれば、前方向音響信号と後方向音響信号をバランスよく収音することが可能となる。
【発明を実施するための最良の形態】
【００１２】
＜実施形態１＞
たとえば、撮像装置には、必ずマイクを含む収音装置が搭載され、映像信号の記録と同時に音声信号を収録する。本発明は、例えば、この種の撮像装置に搭載して好適な収音装置に関する。
【００１３】
図１は、本発明の実施形態１に係る収音装置のブロック図を示す。図１において、１は、収音装置の収音方向に位置し、正面からの音響を電気信号に変える前方向マイクであり、２は、前方向マイク１の出力を増幅する前方向マイクアンプ部を示す。また３は、収音装置の収音方向に対して後方向に位置し、背面からの音響を電気信号に変える後方向マイクであり、４は、後方向マイクの出力を増幅する後方向マイクアンプ部を示す。
【００１４】
また５は、前方向マイクアンプ部２からの前方向音響信号と後方向マイクアンプ部４からの後方向音響信号とを分離する指向性生成部である。また６は、指向性生成部５の前方向音響信号を出力する前方向音響信号出力部であり、７は、指向性生成部５の後方向音響信号を出力する後方向音響信号出力部である。さらに８は、前方向音響信号出力部６と後方向音響信号出力部７のからの音響信号の信号レベルを調整する音響信号レベル調整部である。音響信号レベル調整部８からの音響信号は、音響信号出力部９を介して出力される。また、１０は、ＣＰＵを示し、ＲＯＭ１１に記憶された各種プログラムに従って収音装置を制御する。１２は、ＣＰＵ１０を動作させるための、ワークエリアを確保したり、各種のデータを一時保存するためのＲＡＭである。１３は、例えば、ＬＣＤ等で構成される表示部である。この表示部１３は、たとえばこの収音装置が撮像装置に搭載される場合には、撮像装置で撮像した画像を再生するための表示装置を使用することもありうる。
【００１５】
また１４は、操作部であり、ユーザの操作により、各種の命令をＣＰＵ１０に与えるため使用される。
【００１６】
図２は、図１における実施形態１の音響信号レベル調整部８の詳細なブロック図を示し、図２において２１は、前方向音響信号の信号レベルを制御する前方向音響信号レベル制御部である。また２２は、前方向音響信号出力部６と後方向音響信号出力部７の出力から、前方向音響信号の最大値と後方向音響信号の最大値を検出し、減衰制御信号を発生するレベル制御管理部である。また、２３は、後方向音響信号の信号レベルを制御する後方向音響信号レベル制御部を示す。レベル制御管理部２２は、検出した最大値に基づき、前方向音響信号レベル制御部２１と後方向音響信号レベル制御部２３を制御する。
【００１７】
また２４は、前方向音響信号を減衰させるところの前方向音響信号減衰部であり、２５は、後方向音響信号を減衰させる後方向音響信号減衰部である。また２６は、前方向音響信号出力部６と後方向音響信号出力部７からの信号の最大値を検出し、前方向音響信号減衰部２４及び後方向音響信号減衰部２５の双方に同様の減衰制御信号を供給する前後方向最大値検出部である。
【００１８】
以下、図１及び図２を用いて、本発明の実施形態１に係る収音装置の各部の動作説明を行う。たとえば撮像装置の撮影方向に位置し、正面及び背面からの音響を前方向マイク１及び後方向マイク３により音響信号に変換する。変換された電気信号を前方向マイクアンプ部２及び後方向マイクアンプ部４にて増幅し、それぞれ指向性生成部５に入力する。
【００１９】
指向性生成部５に入力された電気信号に基づき、収音方向に対し正面及び背面の音響信号に分離し、正面方向からの前方向音響信号を前方向音響信号出力部６に送り、背面方向からの後方向音響信号を後方向音響信号出力部７に送る。
【００２０】
前方向音響信号出力部６の出力は、前方向音響信号減衰部２４に入力されると共に、前方向音響信号の最大値を検出するために、前後方向最大値検出部２６にも入力される。同様に、後方向音響信号出力部７の出力は、後方向音響信号減衰部２５に入力されると共に、後方向音響信号の最大値を検出するために、レベル制御管理部２６の前後方向最大値検出部２６にも入力される。
【００２１】
前後方向最大値検出部２６では、入力された前方向音響信号出力部６の出力と後方向音響信号出力部７の出力の両方の音響信号の大きい方の最大値を検出する。そして、その最大値から前方向音響信号と後方向音響信号の減衰量を決定し、前方向音響信号減衰部２４と後方向音響信号減衰部２５に対し減衰制御信号を送る。
【００２２】
送られた減衰制御信号に従って、前方向音響信号減衰部２４は前方向音響信号出力部６からの前方向音響信号を減衰させて、音響信号出力部９に伝送する。また後方向音響信号減衰部２５も送られた減衰制御信号に従って、後方向音響信号出力部７からの後方向音響信号を減衰させて、音響信号出力部９に伝送する。
【００２３】
＜実施形態２＞
次に、本発明の実施形態２に係る収音装置を図１及び図３を用いて説明を行う。図３は、実施形態２に係る収音装置の音響信号レベル調整部８を表した図である。なお、図１及び２と共通な回路要素には、同じ参照番号を付し、それらの詳しい説明は省略する。
【００２４】
図３の３１は、前方向音響信号出力部６の最大値を検出し、前方向音響信号減衰部２４に減衰制御信号を伝達する前方向最大値検出部である。また３２は、後方向音響信号出力部７の最大値を検出し、後方向音響信号減衰部２５に減衰制御信号を伝達する後方向最大値検出部である。
【００２５】
図３に示す音響信号レベル調整部８を備える本願の実施形態２に係る収音装置は、以下のように動作する。
【００２６】
先ず、前方向音響信号出力部６の出力は、前方向音響信号減衰部２４に入力されると共に、前方向音響信号の最大値を検出するために、前方向最大値検出部３１にも入力される。同様に、後方向音響信号出力部７の出力は、後方向音響信号減衰部２５に入力されると共に、後方向音響信号の最大値を検出するために、後方向最大値検出部３２にも入力され、これらは、レベル制御管理部２２に含まれる。
【００２７】
前方向最大値検出部３１では、入力された前方向音響信号出力部６からの出力の音響信号の最大値を検出し、その最大値から前方向音響信号の減衰量を決定し、前方向音響信号減衰部２４に対し減衰制御信号を送る。
【００２８】
減衰制御信号を受け取った前方向音響信号減衰部２４は、前方向音響信号出力部６からの前方向音響信号を減衰させ、音響信号出力部９に伝送する。
【００２９】
また、後方向最大値検出部３２では、入力された後方向音響信号出力部７からの出力のの音響信号の最大値を検出し、その最大値から後方向音響信号の減衰量を決定し、後方向音響信号減衰部２５に対し減衰制御信号を送る。
【００３０】
減衰制御信号を受け取った後方向音響信号減衰部２５は、後方向音響信号出力部７からの後方向音響信号を減衰させ、音響信号出力部９に伝送する。
【００３１】
＜実施形態３＞
次に、本発明の実施形態２に係る収音装置を図１及び図４乃至６を用いて説明を行う。図４は、実施形態３に係る収音装置に用いされる音響信号レベル調整部８の詳細なブロック図を示す。
【００３２】
実施形態３における収音装置では、たとえば表示部１３に、図６に示すようなＵＩ（ユーザインタフェース）画面６０を表示する。また、操作部１４は、少なくとも、図４の音響信号レベル調整部８が備える２つのスイッチＳＷ１及びＳＷ２制御するためのにユーザが操作部１４を操作すると、その操作がＣＰＵ１０に伝達され、適宜これらのスイッチＳＷ１及びＳＷ２が制御されることになる。
【００３３】
また、図４の音響信号レベル調整部８において、４１は、前方向音響信号出力部６からの出力の最大値を検出する第１前方向最大値検出部４１であり、４２は、後方向音響信号出力部７からの出力の最大値を検出する第１後方向最大値検出部である。また、４３は、第１前方向最大値検出部からの出力データと、ＳＷ１からの出力データとを比較し、大きい方の値に基づき、前方向音響信号減衰部２４に減衰制御信号を伝達する第２前方向最大値検出部である。また４４は、第１後方向最大値検出部４２からの出力データと、ＳＷ２からの出力データとを比較し、大きい方の値に基づき、後方向音響信号減衰部２５に減衰制御信号を伝達する第２後方向最大値検出部である。
【００３４】
またＳＷ１は、第１後方向最大値検出部４２からの出力データを第２前方向最大値検出部４３へ伝送するか否かを切り替えるスイッチである。またＳＷ２は、第１前方向最大値検出部４１からの出力データを第２後方向最大値検出部４４へ伝送するか否かを切り替えるスイッチである。
【００３５】
以上のように構成された本願の実施形態３における収音装置は、図５に示すフローチャートに従って動作する。
【００３６】
ステップＳ５０１の処理の開始後、図７に示すＵＩ画面７０が、表示部１３に表示される。次に、ステップＳ５０２において、ユーザが操作部１４を操作して、ＵＩ画面７０の「風景」を選択したとする。例えば、この場合は、本願の実施形態３における収音装置が、撮像装置に搭載され、撮像装置で風景を撮影している場合と考えることが出来る。すなわち、風景を撮影する場合には、前方向からの音響と後方向からの音響には、強い相関関係はなく、「前後非連動」と考えることが出来る。したがってこの場合には、ステップＳ５０３に進み、ＣＰＵ１０に非連動モードが選択されたことが入力される。ＣＰＵ１０はそれを受けて、音響信号レベル調整部８に対し、ＳＷ１及びＳＷ２をＯＦＦにするコマンドを送り、ステップＳ５０４に示すように、ＳＷ１及びＳＷ２をＯＦＦにし、処理を終了する。
【００３７】
この非連動モードにおいては、前方向音響信号出力部６の出力が前方向音響信号減衰部２４に入力されると共に、前方向音響信号の最大値を検出する第１前方向最大値検出部４１に入力される。また、第１前方向最大値検出部４１では、入力された前方向音響信号出力部６からの出力の前方向音響信号の最大値を検出し、その最大値のデータを第２前方向最大値検出部４３に送る。そして第２前方向最大値検出部４３では、前方向音響信号の減衰量を決定し、前方向音響信号減衰部２４に対し減衰制御信号を送る。したがって、前方向音響信号減衰部２４は、前方向音響信号出力部６からの前方向音響信号を減衰制御信号に基づいて減衰させたあと、音響信号出力部９に伝送する。
【００３８】
同様に、後方向音響信号出力部７の出力が後方向音響信号減衰部２５に入力されると共に、後方向音響信号の最大値を検出する第１後方向最大値検出部４２に入力される。また、第１後方向最大値検出部４２では、入力された後方向音響信号出力部７からの出力の後方向音響信号の最大値を検出し、その最大値のデータを第２後方向最大値検出部４４に送る。そして第２後方向最大値検出部４４では、後方向音響信号の減衰量を決定し、後方向音響信号減衰部２５に対し減衰制御信号を送る。したがって、後方向音響信号減衰部２５は、後方向音響信号出力部７からの後方向音響信号を減衰制御信号に基づいて減衰させたあと、音響信号出力部９に伝送する。
【００３９】
一方、ステップＳ５０２において、ユーザが操作部１４を操作して、ＵＩ画面７０の「コンサート」を選択したとする。例えば、この場合は、本願の実施形態３における収音装置が、撮像装置に搭載され、撮像装置でコンサート会場を撮影している場合と考えることが出来る。すなわち、コンサート会場を撮影する場合には、前方向からの音響と後方向からの音響には、強い相関関係があり、この場合には「前後連動」と考えることが出来る。
【００４０】
したがってこの場合には、ステップＳ５０５に進み、ＣＰＵ１０に連動モードが選択されたことが入力される。ＣＰＵ１０はそれを受けて、音響信号レベル調整部８に対し、ＳＷ１及びＳＷ２をＯＮにするコマンドを送り、ステップＳ５０６に示すように、ＳＷ１及びＳＷ２をＯＮにし、処理を終了する。
【００４１】
この場合、前方向音響信号出力部６からの出力が、前方向音響信号減衰部２４に入力されると共に、前方向音響信号の最大値を検出する第１前方向最大値検出部４１に入力される。
【００４２】
第１前方向最大値検出部では、前方向音響信号出力部６からの前方向音響信号の最大値を検出し、その最大値のデータを第２前方向最大値検出部４３に送ると共に、ＳＷ２を介して、第２後方向最大値検出部４４にも送る。
【００４３】
また、後方向音響信号出力部７からの出力が、後方向音響信号減衰部２５に入力されると共に、後方向音響信号の最大値を検出する第１後方向最大値検出部４２に入力される。  第１後方向最大値検出部４２では、後方向音響信号出力部７からの後方向音響信号の最大値を検出し、その最大値のデータを第２後方向最大値検出部４４に送ると共に、ＳＷ１を介して、第２前方向最大値検出部４３にも送る。
【００４４】
第２前方向最大値検出部４２では、第１前方向最大値検出部４１と第１後方向最大値検出部４２から受け取ったデータの最大値を検出し、前方向音響信号の減衰量を決定し、前方向音響信号減衰部２４に対し減衰制御信号を送る。
【００４５】
減衰制御信号を受け取った前方向音響信号減衰部２４は、前方向音響信号出力部６からの前方向音響信号を減衰させ、音響信号出力部９に伝送する。
【００４６】
同様に、第２後方向最大値検出部４４においても、第１前方向最大値検出部４１と第１後方向最大値検出部４２から受け取ったデータの最大値を検出し、後方向音響信号の減衰量を決定し、後方向音響信号減衰部２５に対し減衰制御信号を送る。
【００４７】
減衰制御信号を受け取った後方向音響信号減衰部２５は、後方向音響信号出力部７の後方向音響信号を減衰させ、音響信号出力部９に伝送する。
【００４８】
＜実施形態４＞
次に、本願の実施形態４に係る収音装置を図１及び図７乃至１１を用いて説明する。
【００４９】
図７は、実施形態４に係る収音装置の音響信号レベル調整部８のブロック図を示す。図において、５１は、ＣＰＵ１０からの減衰制御データにより、第１後方向最大値検出部４２から出力されるデータを減衰させ、ＳＷ３の端子に送る後方向最大値減衰部である。ＳＷ３は、後方向最大値減衰部５１からのデータをＳＷ１へ伝送するか、第１後方向最大値検出部４１からのデータをＳＷ１に伝送するかを切り替えるスイッチである。
【００５０】
以上、図７のように構成された本願の実施形態４に係る収音装置の動作を、図８のフローチャート図を用いて説明する。
【００５１】
尚、図９は、実施形態４において、表示部１３に表示され、ユーザが収音状況を選択するＵＩ画面９０を示し、これが選択メニューの１例である。また、図１０は、同じく表示部１３に表示され、前方向音響信号優先レベルデータを選択する場合のＵＩ画面１００を示す。また、図１１は、前方向音響信号優先レベルデータを可変する場合のＵＩ画面１１０を示す。
【００５２】
図８のフローチャート図にもどり、ステップＳ８０１の処理の開始で制御ルーチンが開始され、図９のＵＩ画面９０、即ち選択メニュー画面が表示部１３に表示される。
【００５３】
ここで、ユーザが、表示された選択肢からステップＳ８０２にて前後の音響信号のレベルコントロールが非連動であるシーンを表す「風景」を選択した場合、ステップＳ８０３へ移行する。それにより、ＣＰＵ１１が非連動モードを認識し、ステップ８０４で音響信号レベル調整部８に対し、ＳＷ１及びＳＷ２をＯＦＦにし、ＳＷ３を第１端子側にするコマンドを送り、これにより非連動モードが設定される。
【００５４】
この場合、前方向音響信号出力部６からの出力が、前方向音響信号減衰部２４に入力されると共に、前方向音響信号の最大値を検出するように、第１前方向最大値検出部４１に入力される。
【００５５】
第１前方向最大値検出部４１では、入力された前方向音響信号出力部６の前方向音響信号の最大値を検出し、その最大値のデータを第２前方向最大値検出部４３に送る。
【００５６】
第２前方向最大値検出部４３では、前方向音響信号の減衰量を決定し、前方向音響信号減衰部２４に対し減衰制御信号を送る。
【００５７】
減衰制御信号を受け取った前方向音響信号減衰部２４は、前方向音響信号出力部６からの前方向音響信号を減衰させ、音響信号出力部９に伝送する。
【００５８】
また、後方向音響信号出力部７からの出力が、後方向音響信号減衰部２５に入力されると共に、後方向音響信号の最大値を検出するように、第１後方向最大値検出部４２に入力される。
【００５９】
第１後方向最大値検出部４２では、入力された後方向音響信号出力部７からの後方向音響信号の最大値を検出し、その最大値のデータを第２後方向最大値検出部４４に送る。
【００６０】
第２後方向最大値検出部４４では、後方向音響信号の減衰量を決定し、後方向音響信号減衰部２５に対し減衰制御信号を送る。
【００６１】
減衰制御信号を受け取った後方向音響信号減衰部２５は、後方向音響信号出力部７からの後方向音響信号を減衰させ、音響信号出力部９に伝送する。
【００６２】
一方、ステップＳ８０２において、ユーザが、前後の音響信号のレベルコントロールが連動である状況を表す「コンサート」または「運動会」を選択した場合には、ステップＳ８０５へ移行し、ＣＰＵ１０が連動モードを認識する。
【００６３】
ステップＳ８０６で、前方向音響信号優先レベルデータが「０」である「コンサート」であればステップＳ８０７へ移行し、ＣＰＵ１０が連動モードを認識する。そして、ＣＰＵ１０は、音響信号レベル調整部８に対し、ＳＷ１及びＳＷ２をＯＮし、ＳＷ３が第１端子側を選択するコマンドを送る。すると、ステップＳ８０８へ移行、ＳＷ１及びＳＷ２をＯＮ、ＳＷ３を第１端子側の選択にする。
【００６４】
この場合、前方向音響信号出力部６からの出力が、前方向音響信号減衰部２４に入力されると共に、前方向音響信号の最大値を検出するように、第１前方向最大値検出部４１に入力される。
【００６５】
第１前方向最大値検出部４１では、入力された前方向音響信号出力部６からの前方向音響信号の最大値を検出し、その最大値のデータを第２前方向最大値検出部４３及び第２後方向最大値検出部４４に送る。
【００６６】
同様に、後方向音響信号出力部７からの出力が、後方向音響信号減衰部２５に入力されると共に、後方向音響信号の最大値を検出するように、第１後方向最大値検出部４２に入力される。
【００６７】
第１後方向最大値検出部４２では、入力された後方向音響信号出力部７からの後方向音響信号の最大値を検出し、その最大値のデータを第２後方向最大値検出部４４及び第２前方向最大値検出部４３に送る。
【００６８】
第２前方向最大値検出部４３では、第１前方向最大値検出部４１と第１後方向最大値検出部４２から受け取ったデータの最大値を検出し、前方向音響信号の減衰量を決定し、前方向音響信号減衰部２４に対し、減衰制御信号を送る。
【００６９】
減衰制御信号を受け取った前方向音響信号減衰部２４は、前方向音響信号出力部６からの前方向音響信号を減衰させ、音響信号出力部９に伝送する。第２後方向最大値検出部４４においても、第１前方向最大値検出部４１と第１後方向最大値検出部４２から受け取ったデータの最大値を検出し、後方向音響信号の減衰量を決定し、後方向音響信号減衰部２５に対し減衰制御信号を送る。
【００７０】
減衰制御信号を受け取った後方向音響信号減衰部２５は、後方向音響信号出力部７からの後方向音響信号を減衰させ、音響信号出力部９に伝送する。
【００７１】
一方、ステップＳ８０６で、前方向音響信号優先レベルデータをもつ「運動会」が選択されたのであればステップＳ８０９へ移行する。そして、ＣＰＵ１０が連動モードを認識し、図１０のＵＩ画面１００の選択画面を表示部１３に表示し、ステップＳ８１０へ移行する。
【００７２】
図１０のＵＩ画面１００で、ユーザが「前方向−５ｄＢ」を選択した場合、ＣＰＵ１０は後方向最大値減衰部５１に対し、５ｄＢの制御データを送り、また、「前方向−１０ｄＢ」を選択した場合は、後方向最大値減衰部５１に対し１０ｄＢの制御データを送る。そして、ステップＳ８１１に移行する。
【００７３】
一方、ユーザが「可変」を選択した場合には、図１１の前方向音響信号優先レベル調整画面を表示部１３に表示する。このＵＩ画面１００でユーザが選択したレベルをＣＰＵ１０が受け取り、後方向最大値減衰部５１に対し、選択されたレベルに対応する制御データを送り、ステップＳ８１１に移行する。それによりステップＳ８１１では、ＳＷ１及びＳＷ２をＯＮし、ＳＷ３が第２端子側を選択にする。そして処理を終了する。
【００７４】
この場合、後方向最大値減衰部５１では、第１後方向最大値検出部４２から受けたデータに対し、ＣＰＵ１０から受けた前方向音響信号優先レベルのデータ値を差し引いてＳＷ１に伝送する。
【００７５】
これにより、後方向音響信号のレベルが前方向音響信号優先レベル分だけ、前方向音響信号レベルに対する影響度を減衰する効果を与える。
【００７６】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出して実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００７７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００７８】
さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７９】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００８０】
【図１】本発明の実施形態に係る収音装置の全体のブロック図である。
【図２】本発明の実施形態１に係る収音装置の音響信号レベル調整部のブロック図である。
【図３】本発明の実施形態２に係る収音装置の音響信号レベル調整部のブロック図である。
【図４】本発明の実施形態３に係る収音装置の音響信号レベル調整部のブロック図である。
【図５】本発明の実施形態３に係る収音装置の動作を説明するフローチャートである。
【図６】本発明の実施形態３に係る収音装置の表示部に表示されるＵＩ画面の１例を示す図である。
【図７】本発明の実施形態４に係る収音装置の音響信号レベル調整部のブロック図である。
【図８】本発明の実施形態４に係る収音装置の動作を説明するフローチャートである。
【図９】本発明の実施形態４に係る収音装置の表示部に表示されるＵＩ画面の１例を示す図である。
【図１０】本発明の実施形態４に係る収音装置の表示部に表示される、前方向音響信号優先レベルデータを選択する場合の選択メニュー例を示す図である。
【図１１】本発明の実施形態４に係る収音装置の表示部に表示される、前方向音響信号優先レベルデータを可変する場合のメニュー表示例を示す図である。
【符号の説明】
【００８１】
１  前方向マイク
２  前方向マイクアンプ部
３  後方向マイク
４  後方向マイクアンプ部
５  指向性生成部
６  前方向音響信号出力部
７  後方向音響信号出力部
８  音響信号レベル調整部
９  音響信号出力部
１０  ＣＰＵ
１１  ＲＯＭ
１２  ＲＡＭ
１３  表示部
１４  操作部
２１  前方向音響信号レベル制御部
２２  レベル制御管理部
２３  後方向音響信号レベル制御部
２４  前方向音響信号減衰部
２５  後方向音響信号減衰部
２６  前後方向最大値検出部
３１  前方向最大値検出部
３２  後方向最大値検出部
４１  第１前方向最大値検出部
４２  第１後方向最大値検出部
４３  第２前方向最大値検出部
４４  第２後方向最大値検出部
５１  後方向最大値減衰部
【図１】
2008153788.tif 000003
【図２】
2008153788.tif 000004
【図３】
2008153788.tif 000005
【図４】
2008153788.tif 000006
【図５】
2008153788.tif 000007
【図６】
2008153788.tif 000008
【図７】
2008153788.tif 000009
【図８】
2008153788.tif 000010
【図９】
2008153788.tif 000011
【図１０】
2008153788.tif 000012
【図１１】
2008153788.tif 000013